(57)【要約】      （修正有）【課題】伸縮自在の筒体であって、大中小のものからなる伸延時には安定的に伸延し、縮寸時には大中小いずれの筒体もその上下面が一致する位置に配置されコンパクトに取り扱い性良く形成される伸縮自在筒体を提供する。【解決手段】往復動する移動部材の露出部をカバーする筒体であって、該カバー体は前記移動部材の移動に伴って同時に伸縮移動し、複数の大中小の筒体１，２，３を同軸上に係着連結したものからなり、各筒体は、内側に突出する係止部４，７及び／又は外向きの係止部５，６，８，９を備え、伸延時には段付き状の長筒体となり、縮小時は複数の前記の筒体のすべてがその上面及び下面が一致した位置に配置される状態に保持される構造からなる。【選択図】図２
0003212302.tif 000002
【実用新案登録請求の範囲】
【請求項１】
往復動する移動部材の露出部をカバーする筒体であって、該カバー体は前記移動部材の移動に伴って同時に伸縮移動し、複数の大中小の筒体を係着連結したものからなり、伸延時には段付き状の長筒体となり、縮小時は複数の前記の筒体のすべてがその上面及び下面が一致した位置に配置される状態に保持される構造からなることを特徴とする伸縮自在筒体。
【考案の詳細な説明】
【技術分野】
【０００１】  本考案は、伸縮する構造体の露出部をカバーするための筒体であって、取り扱い性がよく縮寸時においてはすべての筒状の構成体の上下面が同一面に配置され、かつ伸延時には隣接する筒体が確実に係着し得る伸縮自在筒体に関する。
【背景技術】
【０００２】  伸縮する構造体の一部には露出する機構部が存在する場合が多い。特に、上下動や左右動をねじ体で行うものではねじ体を使用する場合が多くあるが、このねじ棒は通常露出している場合が多い。このねじ体も錆止め等のコーティングをしている場合は防錆効果はあるが、不遊物やゴミ等が付着し動作が円滑にならない場合が多い。【０００３】  伸縮体の筒体として一般に使用されるものは伸縮構造の筒体が用いられている。この筒体の構造としてはカメラの三脚のように大中小の筒体を伸縮可能に連結したものが普通使用されている。しかしながら、この大中小の筒体は伸延時には互いに係着する必要があり、この係着のためには種々の機構が採用されている。
しかしながら出願人の調査によると伸延時において確実に相互に係着して長柱の筒体となると共に縮小時には大中小のいずれの筒体がすべてその上面や下面が一致する位置に来るものは見当らない。
仮に上下面が縮小時に同一平面に保持されると小スペースとなるメリットがあると共にコンパクトにまとめられ、保管も持ち運びも極めて容易のものとなる。
【考案の概要】
【考案が解決しようとする課題】
【０００４】  本考案は以上の事情に鑑みて考案されたものであり、伸長時には大中小連結した筒体が確実に係着して長寸状態を保持すると共に縮小時においては大中小いずれの筒体もその上面及び下面が同一面上に保持される簡便構造の伸縮自在筒体を提供する事を目的とする。
【課題を解決するための手段】
【０００５】  本考案は、以上の目的を達成するために、請求項１の考案は、往復動する移動部材の露出部をカバーする筒体であって、該カバー体は前記移動部材の移動に伴って同時に伸縮移動し、複数の大中小の筒体を係着連結したものからなり、伸延時には段付き状の長筒体となり、縮小時は複数の前記の筒体のすべてがその上面及び下面が一致した位置に配置される状態に保持される構造からなることを特徴とする。
【考案の効果】
【０００６】  後に説明するが本考案の伸縮自在筒体は大中小の筒体からなり、夫々の筒体には自分より下方にある筒体を確実に係着する係着部が形成されると共に縮寸時には下方側の筒体の係着部が縮小方法に邪魔にならず上面まで移動出来るように形成されている。また、夫々の筒体の長さを一定に整えることにより縮小時において下面を一致させることが出来る。
以上により、取り扱い性の良い伸縮自在の筒体を形成する事が出来、各種の場所に適用可能の効果を上げることが出来る。
【図面の簡単な説明】
【０００７】
【図１】  本考案の伸縮自在筒体の伸延時における外観構造を示す斜視図。
【図２】  図１の軸断面図。
【図３】  本考案の伸縮自在筒体の縮尺した状態を示す斜視断面図。
【図４】  本考案の伸縮自在筒体の縮尺時における斜視外観図。
【考案を実施するための形態】
【０００８】  以下、本考案の伸縮自在筒体の実施の形態を図面を参照して詳述する。
【０００９】  本考案の伸縮自在筒体１００は図１に示すように大中小３筒の筒体１，２，３から構成されている。勿論、３筒に限定するものではなく、それより多数であっても構わない。
【００１０】  図１に示した伸縮自在筒体１００の軸断面が図２に示されている。図示のように伸縮自在筒体１００における大中小の筒体１，２，３の全長Ｌ１，Ｌ２，Ｌ３はすべて同一である。
【００１１】  Ｌ１の大きい筒体１の下端側には内側に突出する係止部４が形成されている。次に、中の大きさの筒体２は上端に筒体１の係止部に係着する外向きの係止部５が形成され、下端には同一形状の係止部６が形成されている。更に中の筒体２の下端側には内側に突出する係止部７が形成されている。次に、小の大きさの筒体３にはその上面に外方に向く係止部８が形成され、更に下端にも外向きの係止部９が形成される。
【００１２】  このように夫々係止部４〜９を形成することにより、図２に示すようにこの筒体を伸延方向に引き出した場合は夫々の係止部が図示のように係着し、これ以上伸長しない長い筒体を安定形成することが出来る。
【００１３】  逆に、この図２の状態から筒体２，３を縮小方向に移動させる夫々の係止部の干渉がなく大中小の筒体１，２，３は上下面が一致する位置まで移動し、図３及び図４に示した形状に保持される。
【００１４】  ここで問題になるのは図２に示した形状の筒体１，２，３はどうやって組み付けられたのであろうかとの疑問が残る。この形状のものを夫々単体で作成しても一体的に図２のように組み付けることが出来ない。
しかしながら、近年行われている３Ｄプリンタの手法を用いる事により図２に示す筒体を一体的に作成する事が出来る。
【００１５】  本考案は、３Ｄプリンタを用いた１つの実施例に過ぎないと思考する人もおられると思いますが、３Ｄプリンタを用いて本考案のような筒体を創作すること事態すぐれた考案であると出願人は思料しております。
【産業上の利用可能性】
【００１６】  本考案の伸縮自在筒体は伸縮する構造体の露出部をカバーする筒体として広く使用され、その利用範囲は極めて広いものと思料します。
【符号の説明】
【００１７】  １    大の筒体
２    中の筒体
３    小の筒体
４    係止部
５    係止部
６    係止部
７    係止部
８    係止部
９    係止部
【図１】
0003212302.tif 000003
【図２】
0003212302.tif 000004
【図３】
0003212302.tif 000005
【図４】
0003212302.tif 000006
【手続補正書】
【提出日】平成29年6月21日(2017.6.21)
【手続補正１】
【補正対象書類名】実用新案登録請求の範囲
【補正対象項目名】全文
【補正方法】変更
【補正の内容】
【実用新案登録請求の範囲】
【請求項１】
往復動する移動部材の露出部をカバーする筒体であって、該カバー体は前記移動部材の移動に伴って同時に伸縮移動し、複数の大中小の筒体を同軸上に係着連結したものからなり、各筒体は、内側に突出する係止部及び／又は外向きの係止部を備え、伸延時には段付き状の長筒体となり、縮小時は複数の前記の筒体のすべてがその上面及び下面が一致した位置に配置される状態に保持される構造からなることを特徴とする伸縮自在筒体。
【手続補正２】
【補正対象書類名】明細書
【補正対象項目名】０００５
【補正方法】変更
【補正の内容】
【０００５】  本考案は、以上の目的を達成するために、請求項１の考案は、往復動する移動部材の露出部をカバーする筒体であって、該カバー体は前記移動部材の移動に伴って同時に伸縮移動し、複数の大中小の筒体を同軸上に係着連結したものからなり、各筒体は、内側に突出する係止部及び／又は外向きの係止部を備え、伸延時には段付き状の長筒体となり、縮小時は複数の前記の筒体のすべてがその上面及び下面が一致した位置に配置される状態に保持される構造からなることを特徴とする。